(57)【特許請求の範囲】
【請求項１】
魚釣りに用いるルアーであって、
中実のルアー本体と、
前記ルアー本体から突出しつつ前記ルアー本体の頭部側の端部から腹部側の下面にかけて外形線に沿って伸びる合成樹脂板と、
前記合成樹脂部板に内包されつつ前記ルアー本体の腹部から一部が露出した状態で装着される板型錘と、
前記合成樹脂板に内包されつつ前記ルアー本体の頭部側の端部に配置されるリングと
を備えたルアー。
【請求項２】
前記合成樹脂板は透明である、請求項１に記載のルアー。
【請求項３】
前記板型錘は左右方向に張り出す張出部分を備え、この張出部分が前記合成樹脂板からその外部に露出している、請求項１又は２に記載のルアー。
【発明の詳細な説明】
【０００１】
【発明の属する技術分野】
本発明は魚釣りに用いるルアーに関する。
【０００２】
【従来の技術】
従来のルアー、特に、一般に「エギ」呼ばれるルアーは、小魚やエビなどの魚餌に外形を似せた中実のルアー本体を有している。そして、このルアー本体の頭部側端部には釣糸を係止するための釣糸係止部が、尾部側端部には複数の針がまとめられた針山が設けられている。また、このようなルアーでは、水中に素早く沈降させて安定した泳動姿勢をとり得るように、腹部付近には錘が装着されている。この従来のエギと呼ばれるタイプのルアーの錘は、ルアー本体の頭部側底面にその一部が突出した状態で埋め込まれる板型のものが多い。
【０００３】
釣人は、このようなルアーを水中に投じて魚や烏賊等を釣り上げるのである。
【０００４】
【発明が解決しようとする課題】
このような従来のルアーを用いる釣りでは、これを水中に投じた後、釣糸を巻き上げ若しくは釣竿を振り上げる等してルアーを水中で勢いよく泳動させ、魚や烏賊等を誘うことになる。この水中で勢いよく泳動させる際、ルアーが水中の岩，テトラポット，その他の障害物と接触することも多い。そして、この接触の際の衝撃によって、ルアーが傷つき一部が破損してしまうこともある。特に、ルアーの泳動方向に位置するルアーの頭部乃至腹部付近は障害物に接触する機会が多く、破損の程度が激しくなる。
【０００５】
従来のルアーでは、このような障害物への接触の機会が多い頭部乃至腹部付近に、釣糸を連結するためのリングや板状の錘といった部材が装着されているため、このリングや錘の変形等が生じ易かった。この錘等はルアーの泳動姿勢を左右する重要なパーツであるから、不当な変形はその後のルアーの性能を大きく損なう恐れがある。
【０００６】
また、魚釣りの際に生じる別の問題として、「根がかり」という現象がある。上述の水中におけるルアーの障害物への接触はルアーを傷つけるのみではなく、ルアーが障害物に挟まり若しくは引っかかってとれなくなってしまうという問題をも生じせしめるのである。
本発明の課題は、ルアーの破損を可及的に防止可能なルアーを提供することにある。また、本発明の別の課題は、根がかりが少ないルアーを提供することにある。
【０００７】
【課題を解決するための手段】
発明１のルアーは、魚釣りに用いるルアーであって、中実のルアー本体と、ルアー本体から突出しつつルアー本体の頭部側の端部から腹部側の下面にかけて外形線に沿って伸びる合成樹脂板と、合成樹脂部板に内包されつつルアー本体の腹部から一部が露出した状態で装着される板型錘と、合成樹脂板に内包されつつルアー本体の頭部側の端部に配置されるリングとを備えている。
【０００８】
このルアーでは、合成樹脂板がルアー本体の頭部側底面側から腹部をカバーし、且つリングと錘をもカバーしている。合成樹脂板が直接リング及び錘の障害物への接触を抑えてその破損や折れ曲がりを防止する。また、ルアー本体からそれ単体で突出しているリング及び錘に対して、合成樹脂板がルアー本体の外形線にそって連続的にカバーしており、錘，リング単体への根がかりが抑えられる。
【０００９】
発明２のルアーは、発明１のルアーであって、合成樹脂板は透明である。
合成樹脂板が透明であって内部に配置される錘の表面の反射等による魚・烏賊へのアピールも可能となる。
発明３のルアーは、発明１又は２のルアーであって、板型錘は左右方向に張り出す張出部分を備え、張出部分が合成樹脂板からその外部に露出している。
【００１０】
このルアーでは左右方向に露出させた錘の張出部分が水流を受けて、ルアーの泳動姿勢を安定させ、また様々なアクションを起こさせる。
【００１１】
【発明の実施の形態】
以下、本発明の一実施形態について図面を参照しつつ説明する。
本発明の一実施形態を採用したルアーは、図１及び図２に示すように、外形を小エビに似せて形成した中実のルアー本体１を有する。そして、ルアー本体１の頭側端部には金属リング２が連結されており、頭部側の底面には板型の錘３が配置されている。また、ルアー本体１の尾部側端部には針山４が連結されている。さらに、ルアー本体１の頭部側の端部から腹部側の下面にかけて外形線に沿って合成樹脂板１０が配置されている。
【００１２】
ルアー本体１は、左右一対の半割部材を貼り合わせて形成され、又は、いわゆる射出成形によって形成される合成樹脂製部材、若しくは金属製の部材である。表面は外形をエビに似せるための様々な模様等が施される。例えば、頭部には目を設け、左右の両側面には羽根５が取り付けられている。
金属リング２は周知の金属素材からなる線部材をリング状に丸め、一端をルアー本体１の頭部側端部に挿入させた状態で、ルアー本体１に連結されものである。もっとも、後に詳しく説明するように、金属リング２は合成樹脂板１０に埋め込まれることになるので、金属リング２自体はルアー本体１に直接連結されずに合成樹脂板１０に装着されるものであってもよい。例えば、合成樹脂板１０の左右方向に単に貫通孔を設け、これに金属リング２をはめ込んでもよい。
【００１３】
この金属リング２が釣糸Ｌを通して釣糸Ｌを結びつける部分である。
錘３は鉛，タングステン，これらの合金等からなる比重の大きい金属からなる。その他、タングステン粉末を混入した合成樹脂等から構成することも可能である。錘３はルアー本体１の下方向に伸びる板型部材である。詳しくは、この板型はルアー本体１の下方向に短辺を有し、ルアー本体１の長手方向に長辺を有する矩形板である。この錘３は、その１つの長辺をルアー本体１の腹部に埋め込んだ状態で、ルアー本体１に装着されている（図３参照）。
【００１４】
合成樹脂板１０は、ポリカーボネイト等の硬質合成樹脂からなる板状部材である。好ましくは、透明な樹脂を用いて形成される。この合成樹脂板１０はルアー本体１の頭部側端部より頭部下面側を経てその腹部付近まで伸びており、上述の金属リング２及び錘３を内部に収納している。もっとも、金属リング２部分についてはその金属リング２のリングに連通するように左右方向に貫通孔が形成される。この合成樹脂板１０自体も錘３と同様にその一部がルアー本体１内に埋め込まれるようにして装着される。
【００１５】
このように構成されるルアーでは、合成樹脂板１０がルアー本体１の頭部側底面側から腹部をカバーし、且つその内部に金属リング２と錘３をも含んで、これらをカバーしている。そして、この合成樹脂板１０が、金属リング２及び錘３に対して直接的に障害物が接触することを抑え、その破損や折れ曲がりを防止する。また、ルアー本体１からそれ単体で突出しているリング２及び錘３を、合成樹脂板１０がルアー本体１の頭部側から外形線に沿ってなだらかに連続的にカバーしており、錘３やリング２への根がかりも抑えられる。
【００１６】
［他の実施形態］
（ａ）上述の実施形態の変形例を示す。
図４に示すように、錘３はルアー本体１より下面方向に突出する板型の部材である。そして、その下端に左右方向に張り出す一対のフランジを有している。このフランジはそれぞれ合成樹脂板１０より左右方向に張り出している。
【００１７】
このように部分的に錘３を合成樹脂板より水平方向（左右方向）に張り出させ、この張り出したフランジで水流を受け得るようにすることで、ルアーの泳動姿勢の安定化を図ることも可能となる。
（ｂ）別の変形例を、図５に示す。
合成樹脂板１０内に内包される錘３に対して、別途、異なる補助錘６を装着してもよい。この補助錘６は錘３と異なる比重のものを用いてもよい。例えば、補助錘６は錘３を左右方向に貫通するように配置され、且つ、合成樹脂板１０からも左右方向に突出するようにしてもよい。
【００１８】
なお、このような補助錘６を用いる場合、これを例えば短筒型として錘３に題して脱着自在とすることも可能である。
【００１９】
【発明の効果】
このルアーを用いた場合には、根がかりが少なく円滑に釣りを行うことができる。また、錘などの破損も少ない。
【図面の簡単な説明】
【図１】本発明の一実施形態を採用したルアーを示した図。
【図２】図１のルアーの参考図。
【図３】図１のIII-III断面図。
【図４】本発明の別の実施形態を採用したルアーの図３に相当する図。
【図５】本発明のさらに別の実施形態を採用したルアーの錘３付近を示した図。
【符号の説明】
１  ルアー本体
２  金属リング
３  錘
１０  合成樹脂板
【図１】
0003777462.tif 000002
【図２】
0003777462.tif 000003
【図３】
0003777462.tif 000004
【図４】
0003777462.tif 000005
【図５】
0003777462.tif 000006